(57)【要約】      （修正有）【課題】血液循環が促進されるや新陳代謝が加速される物理的な治療効果が得られるだけでなく、釈放した陰イオンにより、空気清淨の効果が得られる炭元素パッド体を提供する。【解決手段】炭元素パッド体は、主として、粉末状の海綿状プラスチック粒に粉末状や粒状の炭体を混合して、そして、ヒドロゲルと上下布層とともに金型内に入れ込んで、加圧や加熱により、炭体が均一的に分布する上下布料層の間に位置する主体層を形成し、これにより、主体層内に均一的に分布する炭体が釈放した遠赤外線や陰イオン等は、人体の各部位に対して、均一的な物理的な治療効果を与え、また、炭元素の使用量を低減することにより、炭元素パッド体のコストを押さえ、市場においての競争力を向上する。【選択図】図１
0003116730.tif 000002
【実用新案登録請求の範囲】
【請求項１】
上下布層及び中央の主体層を加圧や加熱して形成する炭元素パッド体であって、
当該主体層は、炭元素が混合された海綿状プラスチックからなり、当該海綿状プラスチック主体層は、海綿状プラスチックを粒状に加工してから、粉末状や粒状の炭体とヒドロゲルとを添加し、金型内に入れ込んで加圧や加熱することにより形成される、ことを特徴とする炭元素パッド体。
【請求項２】
当該パッド体は、上下表面が整然的である、ことを特徴とする請求項１に記載の炭元素パッド体。
【請求項３】
当該パッド体は、一面に複数の突出体が形成され、もう一面が整然的である、ことを特徴とする請求項１に記載の炭元素パッド体。
【考案の詳細な説明】
【技術分野】
【０００１】
本考案は、炭元素パッド体に関し、特に、炭元素が均一的に分布する新規のパッド体に関する。
【背景技術】
【０００２】
本考案の炭元素パッド体は、従来の複数の袋体に備長炭を充填することにより構成されるパッド体において、物理的な治療効果が不均一、パッド体全体の耐衝撃性が良くない、そして、炭元素パッド体のコストが高い等の欠点を解消できる構造であり、本考案によれば、粉末状の海綿状プラスチック粒に粉末状や粒状の炭体を混合して、そして、ヒドロゲルと上下布層とともに金型内に入れ込んで、加圧や加熱により、炭体が均一的に分布する上下布料層の間に位置する主体層を形成し、これにより、海綿状プラスチック全体の強度が向上されるだけでなく、炭元素パッド体の主体層内に均一的に分布する炭体により、全方向の物理的な治療効果が得られ、そして、炭元素の使用量を低減することにより、炭元素パッド体のコストを押さえるため、市場においての競争力が向上される。
【考案の開示】
【考案が解決しようとする課題】
【０００３】
本考案の主な目的は、血液循環が促進されるや新陳代謝が加速される物理的な治療効果が得られるだけでなく、釈放した陰イオンにより、空気清淨の効果が得られる炭元素パッド体を提供する。
【課題を解決するための手段】
【０００４】
本考案は、上下布層及び中央の主体層を加圧や加熱して形成する炭元素パッド体であって、当該主体層は、炭元素が混合された海綿状プラスチックからなり、当該海綿状プラスチック主体層は、海綿状プラスチックを粒状に加工してから、粉末状や粒状の炭体とヒドロゲルとを添加し、金型内に入れ込んで加圧や加熱することにより形成される、ことを特徴とする炭元素パッド体を提供する。
【０００５】
本考案は、当該パッド体が、上下表面が整然的である、ことを特徴とする炭元素パッド体を提供する。
【０００６】
本考案は、当該パッド体が、一面に複数の突出体が形成され、もう一面が整然的である、ことを特徴とする炭元素パッド体を提供する。
【考案を実施するための最良の形態】
【０００７】
本考案は、図１の炭元素パッド体に関し、を参照しながら、また、本実施例は、靴用のパッドを例として、本考案の技術手段について説明し、本考案の炭元素パッド体の使用態様は、これによって制限されず、本考案の炭元素パッド体を、マットレスや座布団、クッションやまくら等の形状に切り取って、直接に各製品の表面に敷いて、或いは、全体製品を被覆ように縫って炭元素を有する関係製品を形成したものは、全てが本考案の範囲に含まれる。
【０００８】
図２のように、本考案の炭元素パッド体は、三つの構造層があり、各構造層は、それぞれ、
パッド体の頂面に位置し、即ち、パッド体が人体と接触する接触面で、より良い手応えを得るため、番手の多い細面布が採用される上布層（１０）と、
パッド体の底面に位置し、即ち、パッド体が充填物や靴と接触する接触面で、パッド体とその面との抵抗を大きくするため、番手の少ない粗面布（不織布でもいい）が採用される下布層（２０）と、
軟質であり、上下布層の間に位置し、まず、大きい海綿状プラスチックブロックを、体積がより小さい海綿状プラスチック粒に粉砕し、また、海綿状プラスチック粒と粉末状や粒状の炭体とヒドロゲルを均一的に混合した後、加圧や或加熱により形成される主体層（３０）と、である。
【０００９】
上記の三つの構造層で炭元素パッド体を形成する技術手段（図３、４を参照しながら）は、上布層（１０）を、底面に連続凹槽が形成される下型（Ａ）に平らに敷いて、そして、粉末状や粒状の海綿状プラスチックと粉末状や粒状の炭体と粘結用のヒドロゲルとの混合物を入れ込んで、最後に、下布層（２０）を、混合物に覆ってから、上型（Ｂ）と下型（Ａ）とを互いに締まり合い、そして、加圧や加熱して、熱圧成形された炭元素パッド体を金型から取り出して、薄い炭元素パッド体が得られ、本考案によれば、一面が突出体を有する炭元素パッド体を形成するため、全体の厚さが非常に薄く、靴用のパッドに切り取ることができ、即ち、図１のような突出体（１００）を有する靴用のパッド（１）が形成され、また、本考案の薄い炭元素パッド体を、まくら形状に切り取って、敷くや縫う或いは熱圧成形によりまくらの表面を被覆することにより、図５のような突出体（１００）を有するまくら（２）を形成してもいいし、また、同じ技術手段により、本考案の炭元素パッドを、座布団に対応する形状に切り取り、そして、直接に、座布団の表面に敷くや縫う或いは熱圧結合等の被覆手段により、図６のような突出体（１００）を有する座布団（３）等の製品を形成してもいい。
【００１０】
本考案の炭元素パッド体は、如何なる形状に切り取られて、炭元素が含有されて突出体を有する製品を形成する場合、海綿状プラスチック粒と炭粒とヒドロゲルとからなる均一的な炭体である炭元素パッド体が釈放した遠赤外線により、血液循環が促進されるや新陳代謝が加速される物理的な治療効果が得られるだけでなく、炭元素パッド体が釈放した陰イオンにより、空気清淨の効果が得られる。
【００１１】
また、本考案の特徴である主体層（２０）は、粉砕された海綿状プラスチック粒と粉末状や粒状の炭体とヒドロゲルを混合した後、金型内に入れ込んで加圧や加熱することによって形成されるため、層内の炭体が、均一的に分布し、この設計により、身体の各部位に対して、炭元素が釈放した遠赤外線による均一的な物理的な治療効果が得られ、また、炭元素と海綿状プラスチック粒と混合されて形成されるパッド体は、炭体の分布がより均一的になり、また、炭体と泡綿との混合により、海綿状プラスチックの強度が向上されるため、耐衝撃や耐圧等の特性が得られ、そして、炭体使用量が、従来の炭パックより大幅に低減され、本考案の新鋭設計により、炭元素パッド体の製造コストが大幅に節約できるため、市場においての競争力が向上される。
【００１２】
また、本考案は、上記の主な効果が得られるだけでなく、炭元素パッド体が、一面が整然的でもう一面が複数の突出体（１００）を有する設計であるため、靴用のパッドやまくら或いは座布団に対応する形状に切り取って、そして、直接に敷くや縫う等の手段により、図１のような表面に本考案の炭元素パッド体がある靴用のパッド（１）や、図５のような表面に炭元素パッド体があるまくら（２）、或いは、図６のような本考案の炭元素パッド体を有する座布団（３）が得られる。
【００１３】
上記のように、本考案の炭元素パッド体を異なる製品に応用すれば、当該製品は、炭元素パッド体の主体層内にある表面を透過できる均一な炭体が釈放した遠赤外線により、身体の各部位に対して物理的な治療効果が提供でき、また、パッド体の突出体（１００）と人体との接触により、経脈に対してマッサージする物理的な効果が得られ、そして、突出体と人体との接触面積がより小さいことにより、より深く経脈を刺激することができるため、血液循環を加速する効果が得られる。
【００１４】
図７は、図６の異なる実施方式であり、座布団の充填物(５０)と表面の炭元素パッド体との間に、活性炭網布層（４０）を増設して、より良い炭元素効果が得られる。
【００１５】
図８、９は、本考案の第２の実施例であり、炭元素パッド体は、同じように、上下布層（１０、２０）と中央の主体層（３０）とを加圧や加熱することにより形成され、異なるのが、上下型の表面がともに平面であるため、形成した炭元素パッド体の両面とも整然的であり、当該整然型炭元素パッド体において、物理的なマッサージ効果が、上記の一面に突出体が形成した炭元素パッド体より悪いが、炭元素が主体層に均一的に分布するや、コストが低減される及び、炭元素が釈放した遠赤外線が均一的に身体の各部位へ伝送される等の効果が同じである。
【図面の簡単な説明】
【００１６】
【図１】本考案の炭元素パッド体を靴用のパッドに切り取る時の外観概念図
【図２】本考案の炭元素パッド体の側面概念図
【図３】本考案の炭元素パッド体の成形過程概念図
【図４】本考案の炭元素パッド体の成形過程概念図
【図５】本考案の炭元素パッド体で作ったまくらの外観概念図
【図６】本考案の炭元素パッド体で作った座布団の外観概念図
【図７】本考案の炭元素パッド体で作った座布団のもう一つの実施態様の局部断面概念図
【図８】本考案の第２の実施例の整然型炭元素パッド体の構造分解概念図
【図９】本考案の第２の実施例の整然型炭元素パッド体を金型で加圧加熱して成形する時の概念図
【符号の説明】
【００１７】
１−−−−−靴用のパッド      ２−−−−−まくら
３−−−−−座布団          １０−−−−上布層
２０−−−−下布層          ３０−−−−主体層
４０−−−−活性炭布層      ５０−−−−充填物
１００−−−突出体            Ａ−−−−−下型
Ｂ−−−−−上型
【図１】
0003116730.tif 000003
【図２】
0003116730.tif 000004
【図３】
0003116730.tif 000005
【図４】
0003116730.tif 000006
【図５】
0003116730.tif 000007
【図６】
0003116730.tif 000008
【図７】
0003116730.tif 000009
【図８】
0003116730.tif 000010
【図９】
0003116730.tif 000011